(57)【特許請求の範囲】
【請求項１】
無線通信のための方法であって、
装置から１または複数の信号を受信することと、
前記装置による信号の送信のために使用された送信パラメータを決定することと、ここで、前記決定された送信パラメータは、ダウンリンク制御チャネルを前記装置へ送信するために使用されるアグリゲーション・レベルや、前記ダウンリンク制御チャネルのために使用される制御チャネル・リソースに基づいて決定される制御チャネル・リソースにも関わらず使用される、送信ダイバーシティ・スキームを備える、
前記送信パラメータに基づいて信号を復号することと、
を備える方法。
【請求項２】
前記送信ダイバーシティ・スキームは、空間直交リソース送信ダイバーシティ（ＳＯＲＴＤ）スキームを備える、請求項１に記載の方法。
【請求項３】
前記信号の送信のために使用された制御チャネル・リソースは、前記ダウンリンク制御チャネルの開始制御チャネル・リソースにマップされた制御チャネル・リソースを備える、請求項１に記載の方法。
【請求項４】
前記１または複数の信号の送信に使用された制御チャネル・リソースは、連続する制御チャネル・リソースを備える、請求項３に記載の方法。
【請求項５】
前記信号の送信のために使用する制御チャネル・リソースを示す別の信号を、前記装置へ送信すること、をさらに備える請求項１に記載の方法。
【請求項６】
前記制御チャネル・リソースで、アクノレッジメント・メッセージが受信される、請求項１に記載の方法。
【請求項７】
無線通信のための方法であって、
ダウンリンク制御チャネルを受信することと、
１または複数の信号の送信のための送信ダイバーシティ・スキームを識別することと、ここで、前記送信ダイバーシティ・スキームは、前記ダウンリンク制御チャネルを送信するために使用されるアグリゲーション・レベルに関わらず識別される、
前記ダウンリンク制御チャネルのために使用される制御チャネル・リソースに基づいて、前記１または複数の信号の送信のために使用するための１または複数の制御チャネル・リソースを決定することと、
前記送信ダイバーシティ・スキームを用いて、前記決定された１または複数の制御チャネル・リソースで、前記１または複数の信号を送信することと、
を備える方法。
【請求項８】
前記送信ダイバーシティ・スキームは、空間直交リソース送信ダイバーシティ（ＳＯＲＴＤ）スキームを備える、請求項７に記載の方法。
【請求項９】
前記信号の送信のために使用される制御チャネル・リソースは、前記ダウンリンク制御チャネルの開始制御チャネル・リソースにマップされた制御チャネル・リソースを備える、請求項７に記載の方法。
【請求項１０】
前記信号の送信に使用される制御チャネル・リソースは、連続する制御チャネル・リソースを備える、請求項９に記載の方法。
【請求項１１】
前記信号の送信のために使用するための１または複数の制御チャネル・リソースを示す信号を受信すること、をさらに備える請求項７に記載の方法。
【請求項１２】
前記信号が、１または複数のアクノレッジメント・メッセージを送信するために使用される、請求項７に記載の方法。
【請求項１３】
無線通信のための方法であって、
ダウンリンク制御チャネルを送信する際に使用するためのアグリゲーション・レベルを選択することと、
前記選択されたアグリゲーション・レベルと、前記選択されたアグリゲーション・レベルに依存し、適切なアグリゲーション・レベルを持つダウンリンク制御チャネルを装置が復号することを保証するために設計された、１または複数の判定基準とを用いて、前記ダウンリンク制御チャネルを前記装置へ送信することと、
を備える方法。
【請求項１４】
前記１または複数の判定基準は、前記ダウンリンク制御チャネルを送信するために使用される制御リソースのための、アグリゲーション・レベルに依存する開始インデクスを備える、請求項１３に記載の方法。
【請求項１５】
第１のアグリゲーション・レベルのために第１の開始インデクスが使用され、複数の他のアグリゲーション・レベルのために第２の開始インデクスが使用される、請求項１４に記載の方法。
【請求項１６】
前記１または複数の判定基準は、前記ダウンリンク制御チャネルを送信する場合に適用されるアグリゲーション・レベルに依存するスクランブリング符号を備える、請求項１３に記載の方法。
【請求項１７】
異なる各アグリゲーション・レベルのために、異なるスクランブリング符号が適用される、請求項１６に記載の方法。
【請求項１８】
前記１または複数の判定基準は、巡回冗長検査（ＣＲＣ）をスクランブルするために使用されるアグリゲーション・レベルに依存するシーケンスを備える、請求項１３に記載の方法。
【請求項１９】
送信スキームを用いて送信された信号を前記装置から受信すること、をさらに備える請求項１３に記載の方法。
【請求項２０】
前記送信スキームは、前記ダウンリンク制御チャネルを送信するために使用されたアグリゲーション・レベルに基づいて、前記装置によって選択される、請求項１９に記載の方法。
【請求項２１】
前記送信スキームは、空間直交リソース送信ダイバーシティ（ＳＯＲＴＤ）スキームを備える、請求項２０に記載の方法。
【請求項２２】
前記受信された信号は、前記ダウンリンク制御チャネルの１または複数の制御チャネル・リソースにマップされた１または複数の制御チャネル・リソースを用いて、前記装置によって送信された、請求項１９に記載の方法。
【請求項２３】
前記受信された信号は、１または複数のアクノレッジメント・メッセージを備える、請求項１９に記載の方法。
【請求項２４】
無線通信のための方法であって、
選択されたアグリゲーション・レベルと、前記選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信することと、
前記選択されたアグリゲーション・レベルに依存する１または複数の判定基準を用いて、前記ダウンリンク制御チャネルを正しく復号することに基づいて、前記ダウンリンク制御チャネルを送信するために使用された、前記選択されたアグリゲーション・レベルを決定することと、
を備える方法。
【請求項２５】
前記１または複数の判定基準は、前記ダウンリンク制御チャネルを送信するために使用される制御リソースのための、アグリゲーション・レベルに依存する開始インデクスを備える、請求項２４に記載の方法。
【請求項２６】
第１のアグリゲーション・レベルのために第１の開始インデクスが使用され、複数の他のアグリゲーション・レベルのために第２の開始インデクスが使用される、請求項２４に記載の方法。
【請求項２７】
前記１または複数の判定基準は、前記ダウンリンク制御チャネルを送信する場合に適用されるアグリゲーション・レベルに依存するスクランブリング符号を備える、請求項２４に記載の方法。
【請求項２８】
異なる各アグリゲーション・レベルのために、異なるスクランブリング符号が適用される、請求項２７に記載の方法。
【請求項２９】
前記１または複数の判定基準は、巡回冗長検査（ＣＲＣ）をスクランブルするために使用されるアグリゲーション・レベルに依存するシーケンスを備える、請求項２４に記載の方法。
【請求項３０】
送信スキームを用いて、前記ダウンリンク制御チャネルを送信した装置へ信号を送信すること、をさらに備える請求項２４に記載の方法。
【請求項３１】
前記送信スキームは、前記ダウンリンク制御チャネルを送信するために使用されたアグリゲーション・レベルに基づいて選択される、請求項３０に記載の方法。
【請求項３２】
前記送信スキームは、空間直交リソース送信ダイバーシティ（ＳＯＲＴＤ）スキームを備える、請求項３１に記載の方法。
【請求項３３】
前記信号は、前記ダウンリンク制御チャネルを送信するために使用された１または複数の制御チャネル・リソースにマップされた１または複数の制御チャネル・リソースを用いて送信される、請求項３０に記載の方法。
【請求項３４】
前記送信された信号は、１または複数のアクノレッジメント・メッセージを備える、請求項３０に記載の方法。
【請求項３５】
無線通信のための装置であって、
装置から１または複数の信号を受信する手段と、
前記装置による信号の送信のために使用された送信パラメータを決定する手段と、ここで、前記決定された送信パラメータは、ダウンリンク制御チャネルを装置へ送信するために使用されるアグリゲーション・レベルや、前記ダウンリンク制御チャネルのために使用される制御チャネル・リソースに基づいて決定される制御チャネル・リソースにも関わらず使用される、送信ダイバーシティ・スキームを備える、
前記送信パラメータに基づいて信号を復号する手段と、
を備える装置。
【請求項３６】
前記送信ダイバーシティ・スキームは、空間直交リソース送信ダイバーシティ（ＳＯＲＴＤ）スキームを備える、請求項３５に記載の装置。
【請求項３７】
前記信号の送信のために使用された制御チャネル・リソースは、前記ダウンリンク制御チャネルの開始制御チャネル・リソースにマップされた制御チャネル・リソースを備える、請求項３５に記載の装置。
【請求項３８】
前記信号の送信に使用された制御チャネル・リソースは、連続する制御チャネル・リソースを備える、請求項３７に記載の装置。
【請求項３９】
前記信号の送信のために使用する制御チャネル・リソースを示す信号を、前記装置へ送信する手段、をさらに備える請求項３５に記載の装置。
【請求項４０】
前記制御チャネル・リソースで、アクノレッジメント・メッセージが受信される、請求項３５に記載の装置。
【請求項４１】
無線通信のための装置であって、
ダウンリンク制御チャネルを受信する手段と、
１または複数の信号の送信のための送信ダイバーシティ・スキームを識別する手段と、ここで、前記送信ダイバーシティ・スキームは、前記ダウンリンク制御チャネルを送信するために使用されるアグリゲーション・レベルに関わらず識別される、
前記ダウンリンク制御チャネルのために使用される制御チャネル・リソースに基づいて、前記１または複数の信号の送信のために使用するための１または複数の制御チャネル・リソースを決定する手段と、
前記送信ダイバーシティ・スキームを用いて、前記決定された１または複数の制御チャネル・リソースで、前記１または複数の信号を送信する手段と、
を備える装置。
【請求項４２】
前記送信ダイバーシティ・スキームは、空間直交リソース送信ダイバーシティ（ＳＯＲＴＤ）スキームを備える、請求項４１に記載の装置。
【請求項４３】
前記信号の送信のために使用される制御チャネル・リソースは、前記ダウンリンク制御チャネルの開始制御チャネル・リソースにマップされた制御チャネル・リソースを備える、請求項４１に記載の装置。
【請求項４４】
前記信号の送信に使用される制御チャネル・リソースは、連続する制御チャネル・リソースを備える、請求項４３に記載の装置。
【請求項４５】
前記信号の送信のために使用するための１または複数の制御チャネル・リソースを示す信号を受信する手段、をさらに備える請求項４１に記載の装置。
【請求項４６】
前記信号が、１または複数のアクノレッジメント・メッセージを送信するために使用される、請求項４１に記載の装置。
【請求項４７】
無線通信のための装置であって、
ダウンリンク制御チャネルを送信する際に使用するためのアグリゲーション・レベルを選択する手段と、
前記選択されたアグリゲーション・レベルと、前記選択されたアグリゲーション・レベルに依存し、適切なアグリゲーション・レベルを持つダウンリンク制御チャネルを装置が復号することを保証するために設計された、１または複数の判定基準とを用いて、前記ダウンリンク制御チャネルを前記装置へ送信する手段と、
を備える装置。
【請求項４８】
前記１または複数の判定基準は、前記ダウンリンク制御チャネルを送信するために使用される制御リソースのための、アグリゲーション・レベルに依存する開始インデクスを備える、請求項４７に記載の装置。
【請求項４９】
第１のアグリゲーション・レベルのために第１の開始インデクスが使用され、複数の他のアグリゲーション・レベルのために第２の開始インデクスが使用される、請求項４８に記載の装置。
【請求項５０】
前記１または複数の判定基準は、前記ダウンリンク制御チャネルを送信する場合に適用されるアグリゲーション・レベルに依存するスクランブリング符号を備える、請求項４７に記載の装置。
【請求項５１】
異なる各アグリゲーション・レベルのために、異なるスクランブリング符号が適用される、請求項５０に記載の装置。
【請求項５２】
前記１または複数の判定基準は、巡回冗長検査（ＣＲＣ）をスクランブルするために使用されるアグリゲーション・レベルに依存するシーケンスを備える、請求項４７に記載の装置。
【請求項５３】
送信スキームを用いて送信された信号を前記装置から受信する手段、をさらに備える請求項４７に記載の装置。
【請求項５４】
前記送信スキームは、前記ダウンリンク制御チャネルを送信するために使用されたアグリゲーション・レベルに基づいて、前記装置によって選択される、請求項５３に記載の装置。
【請求項５５】
前記送信スキームは、空間直交リソース送信ダイバーシティ（ＳＯＲＴＤ）スキームを備える、請求項５４に記載の装置。
【請求項５６】
前記受信された信号は、前記ダウンリンク制御チャネルの１または複数の制御チャネル・リソースにマップされた１または複数の制御チャネル・リソースを用いて、前記装置によって送信された、請求項５３に記載の装置。
【請求項５７】
前記受信された信号は、１または複数のアクノレッジメント・メッセージを備える、請求項５３に記載の装置。
【請求項５８】
無線通信のための装置であって、
選択されたアグリゲーション・レベルと、前記選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信する手段と、
前記選択されたアグリゲーション・レベルに依存する１または複数の判定基準を用いて、前記ダウンリンク制御チャネルを正しく復号することに基づいて、前記ダウンリンク制御チャネルを送信するために使用された、前記選択されたアグリゲーション・レベルを決定する手段と、
を備える装置。
【請求項５９】
前記１または複数の判定基準は、前記ダウンリンク制御チャネルを送信するために使用される制御リソースのための、アグリゲーション・レベルに依存する開始インデクスを備える、請求項５８に記載の装置。
【請求項６０】
第１のアグリゲーション・レベルのために第１の開始インデクスが使用され、複数の他のアグリゲーション・レベルのために第２の開始インデクスが使用される、請求項５８に記載の装置。
【請求項６１】
前記１または複数の判定基準は、前記ダウンリンク制御チャネルを送信する場合に適用されるアグリゲーション・レベルに依存するスクランブリング符号を備える、請求項５８に記載の装置。
【請求項６２】
異なる各アグリゲーション・レベルのために、異なるスクランブリング符号が適用される、請求項６１に記載の装置。
【請求項６３】
前記１または複数の判定基準は、巡回冗長検査（ＣＲＣ）をスクランブルするために使用されるアグリゲーション・レベルに依存するシーケンスを備える、請求項５８に記載の装置。
【請求項６４】
送信スキームを用いて、前記ダウンリンク制御チャネルを送信した装置へ信号を送信する手段、をさらに備える請求項５８に記載の装置。
【請求項６５】
前記送信スキームは、前記ダウンリンク制御チャネルを送信するために使用されたアグリゲーション・レベルに基づいて選択される、請求項６４に記載の装置。
【請求項６６】
前記送信スキームは、空間直交リソース送信ダイバーシティ（ＳＯＲＴＤ）スキームを備える、請求項６５に記載の装置。
【請求項６７】
前記信号は、前記ダウンリンク制御チャネルを送信するために使用された１または複数の制御チャネル・リソースにマップされた１または複数の制御チャネル・リソースを用いて送信される、請求項６４に記載の装置。
【請求項６８】
前記送信された信号は、１または複数のアクノレッジメント・メッセージを備える、請求項６４に記載の装置。
【請求項６９】
無線通信のための装置であって、
装置から１または複数の信号を受信することと、
前記装置による信号の送信のために使用された送信パラメータを決定することと、ここで、前記決定された送信パラメータは、ダウンリンク制御チャネルを前記装置へ送信するために使用されるアグリゲーション・レベルや、ダウンリンク制御チャネルのために使用される制御チャネル・リソースに基づいて決定される制御チャネル・リソースにも関わらず使用される、送信ダイバーシティ・スキームを備える、
前記送信パラメータに基づいて信号を復号することと、
を実行するように構成された少なくとも１つのプロセッサと、
前記少なくとも１つのプロセッサに接続されたメモリと、
を備える装置。
【請求項７０】
無線通信のための装置であって、
ダウンリンク制御チャネルを受信することと、
１または複数の信号の送信のための送信ダイバーシティ・スキームを識別することと、ここで、前記送信ダイバーシティ・スキームは、前記ダウンリンク制御チャネルを送信するために使用されるアグリゲーション・レベルに関わらず識別される、
前記ダウンリンク制御チャネルのために使用される制御チャネル・リソースに基づいて、前記１または複数の信号の送信のために使用するための１または複数の制御チャネル・リソースを決定することと、
前記送信ダイバーシティ・スキームを用いて、前記決定された１または複数の制御チャネル・リソースで、前記１または複数の信号を送信することと、
を実行するように構成された少なくとも１つのプロセッサと、
前記少なくとも１つのプロセッサに接続されたメモリと、
を備える装置。
【請求項７１】
無線通信のための装置であって、
ダウンリンク制御チャネルを送信する際に使用するためのアグリゲーション・レベルを選択することと、
前記選択されたアグリゲーション・レベルと、前記選択されたアグリゲーション・レベルに依存し、適切なアグリゲーション・レベルを持つダウンリンク制御チャネルを装置が復号することを保証するために設計された、１または複数の判定基準とを用いて、前記ダウンリンク制御チャネルを前記装置へ送信することと、
を実行するように構成された少なくとも１つのプロセッサと、
前記少なくとも１つのプロセッサに接続されたメモリと、
を備える装置。
【請求項７２】
無線通信のための装置であって、
選択されたアグリゲーション・レベルと、前記選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信することと、
前記選択されたアグリゲーション・レベルに依存する１または複数の判定基準を用いて、前記ダウンリンク制御チャネルを正しく復号することに基づいて、前記ダウンリンク制御チャネルを送信するために使用された、前記選択されたアグリゲーション・レベルを決定することと、
を実行するように構成された少なくとも１つのプロセッサと、
前記少なくとも１つのプロセッサに接続されたメモリと
を備える装置。
【請求項７３】
無線通信のための、格納された命令群を有するコンピュータ読取可能な記憶媒体であって、
前記命令群は、１または複数のプロセッサによって実行可能であり、前記命令群は、
装置から１または複数の信号を受信するための命令群と、
前記装置による信号の送信のために使用された送信パラメータを決定するための命令群と、ここで、前記決定された送信パラメータは、ダウンリンク制御チャネルを前記装置へ送信するために使用されるアグリゲーション・レベルや、前記ダウンリンク制御チャネルのために使用される制御チャネル・リソースに基づいて決定される制御チャネル・リソースにも関わらず使用される、送信ダイバーシティ・スキームを備える、
前記送信パラメータに基づいて信号を復号するための命令群と、
を備える、コンピュータ読取可能な記憶媒体。
【請求項７４】
無線通信のための、格納された命令群を有するコンピュータ読取可能な記憶媒体であって、
前記命令群は、１または複数のプロセッサによって実行可能であり、前記命令群は、
ダウンリンク制御チャネルを受信するための命令群と、
１または複数の信号の送信のための送信ダイバーシティ・スキームを識別するための命令群と、ここで、前記送信ダイバーシティ・スキームは、前記ダウンリンク制御チャネルを送信するために使用されるアグリゲーション・レベルに関わらず識別される、
前記ダウンリンク制御チャネルのために使用される制御チャネル・リソースに基づいて、１または複数の信号の送信のために使用するための１または複数の制御チャネル・リソースを決定するための命令群と、
前記送信ダイバーシティ・スキームを用いて、前記決定された１または複数の制御チャネル・リソースで、１または複数の信号を送信するための命令群と、
を備える、コンピュータ読取可能な記憶媒体。
【請求項７５】
無線通信のための、格納された命令群を有するコンピュータ読取可能な記憶媒体であって、
前記命令群は、１または複数のプロセッサによって実行可能であり、前記命令群は、
ダウンリンク制御チャネルを送信する際に使用するためのアグリゲーション・レベルを選択するための命令群と、
前記選択されたアグリゲーション・レベルと、前記選択されたアグリゲーション・レベルに依存し、適切なアグリゲーション・レベルを持つダウンリンク制御チャネルを装置が復号することを保証するために設計された、１または複数の判定基準とを用いて、前記ダウンリンク制御チャネルを前記装置へ送信するための命令群と、
を備える、コンピュータ読取可能な記憶媒体。
【請求項７６】
無線通信のための、格納された命令群を有するコンピュータ読取可能な記憶媒体であって、
前記命令群は、１または複数のプロセッサによって実行可能であり、前記命令群は、
選択されたアグリゲーション・レベルと、前記選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信するための命令群と、
前記選択されたアグリゲーション・レベルに依存する１または複数の判定基準を用いて、前記ダウンリンク制御チャネルを正しく復号することに基づいて、前記ダウンリンク制御チャネルを送信するために使用された、前記選択されたアグリゲーション・レベルを決定するための命令群と、
を備える、コンピュータ読取可能な記憶媒体。
【発明の詳細な説明】
【優先権主張】
【０００１】
本願は、本明細書において参照によって明確に組み込まれ、本願の譲受人に譲渡された、２０１０年２月１７日出願の「ＬＴＥ−ＡにおけるＡＣＫ／ＮＡＫのためのアップリンク送信ダイバーシティ」（Uplink Transmit Diversity for ACK/NAK in LTE-A）と題された米国仮出願６１／３０５，４８６号への優先権を主張する。
【技術分野】
【０００２】
本開示のある態様は、一般に、無線通信に関し、さらに詳しくは、アップリンク送信ダイバーシティのためのシステムおよび方法に関する。
【背景技術】
【０００３】
第３世代パートナシップ計画ロング・ターム・イボリューション（ＬＴＥ）は、セルラ技術における大きな進歩を示しており、グローバル移動体通信システム（ＧＳＭ（登録商標））およびユニバーサル・モバイル・テレコミュニケーション・システム（ＵＭＴＳ）の自然発展形として、セルラ３Ｇサービスにおいて先行する次のステップである。ＬＴＥは、最大で毎秒５０メガビット（Ｍｂｐｓ）のアップリンク速度と、最大で１００Ｍｂｐｓのダウンリンク速度とを提供し、セルラ・ネットワークに対して多くの技術的な利点をもたらす。ＬＴＥは、この１０年間に向けての、高速データおよびマルチメディア伝送のみならず、高キャパシティの音声サポートに関するキャリア・ニーズを満たすように設計されている。帯域幅は、１．２５ＭＨｚから２０ＭＨｚまでスケール可能である。これは、異なる帯域幅割当を有する異なるネットワーク・オペレータのニーズに適合し、これによって、オペレータは、スペクトルに基づいて異なるサービスを提供することが可能となる。ＬＴＥはまた、３Ｇネットワークにおけるスペクトル効率を高めることが期待されており、これによって、キャリアは、所与の帯域幅で、より多くのデータ・サービスおよび音声サービスを提供することが可能となる。ＬＴＥは、高速データ・サービス、マルチメディア・ユニキャスト・サービス、およびマルチメディア・ブロードキャスト・サービスを含む。ＬＴＥアドバンストは、第４世代（４Ｇ）サービスを提供するための開発中のモバイル通信規格である。ＬＴＥアドバンストはさらに、セル端部における向上されたパフォーマンスと電力状態とのより高速な切換を目的としている。
【０００４】
ＬＴＥの物理レイヤ（ＰＨＹ）は、エンハンスト基地局（ｅノードＢ）とモバイル・ユーザ機器（ＵＥ）との間でデータおよび制御情報の両方を伝送する非常に効率的な手段である。ＬＴＥ  ＰＨＹは、セルラ・アプリケーションに、新しい、先進技術を適用する。これらは、直交周波数分割多重（ＯＦＤＭ）および複数入力複数出力（ＭＩＭＯ）データ送信を含んでいる。さらに、ＬＴＥ  ＰＨＹは、ダウンリンク（ＤＬ）において直交周波数分割多元接続（ＯＦＤＭＡ）を用い、アップリンク（ＵＬ）においてシングル・キャリア周波数分割多元接続（ＳＣ−ＦＤＭＡ）を用いる。ＯＦＤＭＡによって、データは、指定された数のシンボル期間にわたって、サブキャリア毎ベースで、複数のユーザとの間で送られるようになる。
【発明の概要】
【０００５】
本開示のある態様は、無線通信のための方法を提供する。この方法は、装置から１または複数の信号を受信することと、装置による信号の送信のために使用された送信パラメータを決定することと、ここで、決定された送信パラメータは、ダウンリンク制御チャネルを装置へ送信するために使用されるアグリゲーション・レベルや、ダウンリンク制御チャネルのために使用される制御チャネル・リソースに基づいて決定される制御チャネル・リソースにも関わらず使用される、コンシステントな送信ダイバーシティ・スキームを備える、送信パラメータに基づいて信号を復号することと、を含む。
【０００６】
本開示のある態様は、無線通信のための方法を提供する。この方法は、ダウンリンク制御チャネルを受信することと、１または複数の信号の送信のための送信ダイバーシティ・スキームを識別することと、ここで、コンシステントな送信ダイバーシティ・スキームは、ダウンリンク制御チャネルを送信するために使用されるアグリゲーション・レベルに関わらず識別される、ダウンリンク制御チャネルのために使用される制御チャネル・リソースに基づいて、１または複数の信号の送信のために使用するための１または複数の制御チャネル・リソースを決定することと、コンシステントな送信ダイバーシティ・スキームを用いて、決定された１または複数の制御チャネル・リソースで、１または複数の信号を送信することと、を含む。
【０００７】
本開示のある態様は、無線通信のための方法を提供する。この方法は、ダウンリンク制御チャネルを送信する際に使用するためのアグリゲーション・レベルを選択することと、選択されたアグリゲーション・レベルと、選択されたアグリゲーション・レベルに依存し、適切なアグリゲーション・レベルを持つダウンリンク制御チャネルを装置が復号することを保証するために設計された、１または複数の判定基準とを用いて、ダウンリンク制御チャネルを装置へ送信することと、を含む。
【０００８】
本開示のある態様は、無線通信のための方法を提供する。この方法は、選択されたアグリゲーション・レベルと、選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信することと、選択されたアグリゲーション・レベルに依存する１または複数の判定基準を用いて、ダウンリンク制御チャネルを正しく復号することに基づいて、ダウンリンク制御チャネルを送信するために使用された、選択されたアグリゲーション・レベルを決定することと、を含む。
【０００９】
本開示のある態様は、無線通信のための装置を提供する。この装置は、装置から１または複数の信号を受信する手段と、装置による信号の送信のために使用された送信パラメータを決定する手段と、ここで、決定された送信パラメータは、ダウンリンク制御チャネルを装置へ送信するために使用されるアグリゲーション・レベルや、ダウンリンク制御チャネルのために使用される制御チャネル・リソースに基づいて決定される制御チャネル・リソースにも関わらず使用される、コンシステントな送信ダイバーシティ・スキームを備える、送信パラメータに基づいて信号を復号する手段と、を含む。
【００１０】
本開示のある態様は、無線通信のための装置を提供する。この装置は、ダウンリンク制御チャネルを受信する手段と、１または複数の信号の送信のための送信ダイバーシティ・スキームを識別する手段と、ここで、コンシステントな送信ダイバーシティ・スキームは、ダウンリンク制御チャネルを送信するために使用されるアグリゲーション・レベルに関わらず識別される、ダウンリンク制御チャネルのために使用される制御チャネル・リソースに基づいて、１または複数の信号の送信のために使用するための１または複数の制御チャネル・リソースを決定する手段と、コンシステントな送信ダイバーシティ・スキームを用いて、決定された１または複数の制御チャネル・リソースで、１または複数の信号を送信する手段と、を含む。
【００１１】
本開示のある態様は、無線通信のための装置を提供する。この装置は、ダウンリンク制御チャネルを送信する際に使用するためのアグリゲーション・レベルを選択する手段と、選択されたアグリゲーション・レベルと、選択されたアグリゲーション・レベルに依存し、適切なアグリゲーション・レベルを持つダウンリンク制御チャネルを装置が復号することを保証するために設計された、１または複数の判定基準とを用いて、ダウンリンク制御チャネルを装置へ送信する手段と、を含む。
【００１２】
本開示のある態様は、無線通信のための装置を提供する。この装置は、選択されたアグリゲーション・レベルと、選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信する手段と、選択されたアグリゲーション・レベルに依存する１または複数の判定基準を用いて、ダウンリンク制御チャネルを正しく復号することに基づいて、ダウンリンク制御チャネルを送信するために使用された、選択されたアグリゲーション・レベルを決定する手段と、含む。
【００１３】
本開示のある態様は、無線通信のための装置を提供する。この装置は、装置から１または複数の信号を受信することと、装置による信号の送信のために使用された送信パラメータを決定することと、ここで、決定された送信パラメータは、ダウンリンク制御チャネルを装置へ送信するために使用されるアグリゲーション・レベルや、ダウンリンク制御チャネルのために使用される制御チャネル・リソースに基づいて決定される制御チャネル・リソースにも関わらず使用される、コンシステントな送信ダイバーシティ・スキームを備える、送信パラメータに基づいて信号を復号することと、を実行するように構成された少なくとも１つのプロセッサと、少なくとも１つのプロセッサに接続されたメモリと、を含む。
【００１４】
本開示のある態様は、無線通信のための装置を提供する。この装置は、ダウンリンク制御チャネルを受信することと、１または複数の信号の送信のための送信ダイバーシティ・スキームを識別することと、ここで、コンシステントな送信ダイバーシティ・スキームは、ダウンリンク制御チャネルを送信するために使用されるアグリゲーション・レベルに関わらず識別される、ダウンリンク制御チャネルのために使用される制御チャネル・リソースに基づいて、１または複数の信号の送信のために使用するための１または複数の制御チャネル・リソースを決定することと、コンシステントな送信ダイバーシティ・スキームを用いて、決定された１または複数の制御チャネル・リソースで、１または複数の信号を送信することと、を実行するように構成された少なくとも１つのプロセッサと、少なくとも１つのプロセッサに接続されたメモリと、を含む。
【００１５】
本開示のある態様は、無線通信のための装置を提供する。この装置は、ダウンリンク制御チャネルを送信する際に使用するためのアグリゲーション・レベルを選択することと、選択されたアグリゲーション・レベルと、選択されたアグリゲーション・レベルに依存し、適切なアグリゲーション・レベルを持つダウンリンク制御チャネルを装置が復号することを保証するために設計された、１または複数の判定基準とを用いて、ダウンリンク制御チャネルを装置へ送信することと、を実行するように構成された少なくとも１つのプロセッサと、少なくとも１つのプロセッサに接続されたメモリと、を含む。
【００１６】
本開示のある態様は、無線通信のための装置を提供する。この装置は、選択されたアグリゲーション・レベルと、選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信することと、選択されたアグリゲーション・レベルに依存する１または複数の判定基準を用いて、ダウンリンク制御チャネルを正しく復号することに基づいて、ダウンリンク制御チャネルを送信するために使用された、選択されたアグリゲーション・レベルを決定することと、を実行するように構成された少なくとも１つのプロセッサと、少なくとも１つのプロセッサに接続されたメモリと、を含む。
【００１７】
ある態様は、１または複数のプロセッサによって実行可能な、格納された命令群を有するコンピュータ読取可能な媒体を備える、無線通信のためのコンピュータ・プログラム製品を提供する。これら命令群は、装置から１または複数の信号を受信するための命令群と、装置による信号の送信のために使用された送信パラメータを決定するための命令群と、ここで、決定された送信パラメータは、ダウンリンク制御チャネルを装置へ送信するために使用されるアグリゲーション・レベルや、ダウンリンク制御チャネルのために使用される制御チャネル・リソースに基づいて決定される制御チャネル・リソースにも関わらず使用される、コンシステントな送信ダイバーシティ・スキームを備える、送信パラメータに基づいて信号を復号するための命令群と、を含む。
【００１８】
ある態様は、１または複数のプロセッサによって実行可能な、格納された命令群を有するコンピュータ読取可能な媒体を備える、無線通信のためのコンピュータ・プログラム製品を提供する。これら命令群は、ダウンリンク制御チャネルを受信するための命令群と、１または複数の信号の送信のための送信ダイバーシティ・スキームを識別するための命令群と、ここで、コンシステントな送信ダイバーシティ・スキームは、ダウンリンク制御チャネルを送信するために使用されるアグリゲーション・レベルに関わらず識別される、ダウンリンク制御チャネルのために使用される制御チャネル・リソースに基づいて、１または複数の信号の送信のために使用するための１または複数の制御チャネル・リソースを決定するための命令群と、コンシステントな送信ダイバーシティ・スキームを用いて、決定された１または複数の制御チャネル・リソースで、１または複数の信号を送信するための命令群と、を含む。
【００１９】
ある態様は、１または複数のプロセッサによって実行可能な、格納された命令群を有するコンピュータ読取可能な媒体を備える、無線通信のためのコンピュータ・プログラム製品を提供する。これら命令群は、ダウンリンク制御チャネルを送信する際に使用するためのアグリゲーション・レベルを選択するための命令群と、選択されたアグリゲーション・レベルと、選択されたアグリゲーション・レベルに依存し、適切なアグリゲーション・レベルを持つダウンリンク制御チャネルを装置が復号することを保証するために設計された、１または複数の判定基準とを用いて、ダウンリンク制御チャネルを装置へ送信するための命令群と、を含む。
【００２０】
ある態様は、１または複数のプロセッサによって実行可能な、格納された命令群を有するコンピュータ読取可能な媒体を備える、無線通信のためのコンピュータ・プログラム製品を提供する。これら命令群は、選択されたアグリゲーション・レベルと、選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信するための命令群と、選択されたアグリゲーション・レベルに依存する１または複数の判定基準を用いて、ダウンリンク制御チャネルを正しく復号することに基づいて、ダウンリンク制御チャネルを送信するために使用された、選択されたアグリゲーション・レベルを決定するための命令群と、を含む。
【図面の簡単な説明】
【００２１】
【図１】図１は、本開示のある態様にしたがう多元接続無線通信システムを例示する。
【図２】図２は、本開示のある態様にしたがう通信システムのブロック図を例示する。
【図３】図３は、本開示のある態様にしたがう多元接続無線通信システムを例示する。
【図４】図４は、本開示のある態様にしたがって、送信ダイバーシティを利用するユーザ機器のブロック図を例示する。
【図５】図５は、本開示のある態様にしたがう、異なるアグリゲーション・レベルにおけるリソース使用を例示する。
【図６】図６は、本開示のある態様にしたがう、アグリゲーション・レベル依存の開始インデクスを例示する。
【図７】図７は、本開示のある態様にしたがって、送信ダイバーシティにおける復号の曖昧さを取り除くためにアクセス・ポイントによって実行されうる動作を例示する。
【図７Ａ】図７Ａは、図７で例示された動作を実行することが可能な構成要素を例示する。
【図８】図８は、本開示のある態様にしたがって、送信ダイバーシティにおける復号の曖昧さを取り除くためにユーザ機器によって実行されうる動作を例示する。
【図８Ａ】図８Ａは、図８で例示された動作を実行することが可能な構成要素を例示する。
【図９】図９は、本開示のある態様にしたがって、送信ダイバーシティにおける復号の曖昧さを取り除くことが可能でありうるアクセス・ポイントの機能ブロック図を例示する。
【図１０】図１０は、本開示のある態様にしたがう、ユーザ機器の機能ブロック図を例示する。
【図１１】図１１は、本開示のある態様にしたがって、送信ダイバーシティにおける復号の曖昧さを取り除くためにアクセス・ポイントによって実行されうる別の動作を例示する。
【図１１Ａ】図１１Ａは、図１１に例示された動作を実行することが可能な構成要素を示す。
【図１２】図１２は、本開示のある態様にしたがって、送信ダイバーシティにおける復号の曖昧さを取り除くためにユーザ機器によって実行されうる別の動作を例示する。
【図１２Ａ】図１２Ａは、図１２に例示された動作を実行することが可能な構成要素を例示する。
【発明を実施するための形態】
【００２２】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されることが明らかであることが明白でありうる。
【００２３】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、さまざまなデータ構造を格納したさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００２４】
さらに、本明細書では、さまざまな態様が、有線端末または無線端末でありうる端末に関連して記載される。端末は、システム、デバイス、加入者ユニット、加入者局、移動局、モバイル、モバイル・デバイス、遠隔局、遠隔端末、アクセス端末、ユーザ端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、タブレット・デバイス、あるいは、無線モデムに接続されたその他の処理デバイスでありうる。さらに、本明細書では、さまざまな態様が、基地局に関して記載される。基地局は、無線端末（単数または複数）と通信するために利用され、アクセス・ポイント、ノードＢ、あるいはその他いくつかの用語で称されうる。
【００２５】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２６】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。
【００２７】
ＯＦＤＭＡネットワークは、例えば、イボルブドＵＴＲＡ（Ｅ−ＵＴＲＡ）、米国電気電子学会（ＩＥＥＥ）  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最近のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。明確化のために、これら技術のある態様は、以下において、ＬＴＥについて記載されており、ＬＴＥ用語が以下の説明の多くで使用される。例示のためにＬＴＥ用語が使用され、本開示の範囲はＬＴＥに限定されないことが注目されるべきである。
【００２８】
シングル・キャリア周波数分割多元接続（ＳＣ−ＦＤＭＡ）は、シングル・キャリア変調および周波数領域等値化を利用する。ＳＣ−ＦＤＭＡ信号は、固有の単一キャリア構造により、低いピーク対平均電力比（ＰＡＰＲ）を有しうる。ＳＣ−ＦＤＭＡは、送信電力効率の観点から、低いＰＡＰＲがモバイル端末に大いに利益をもたらす、３ＧＰＰ  ＬＴＥにおけるアップリンク多元接続スキームのために使用される。
【００２９】
図１に示すように、１つの態様にしたがった多元接続無線通信システム１００が例示される。アクセス・ポイント１０２（ＡＰ）は、１つは１０４および１０６を含み、別の１つのは１０８および１１０を含み、さらに別の１つは１１２および１１４を含む複数のアンテナ・グループを含む。図１では、おのおののアンテナ・グループについて２本のアンテナしか示されていない。しかしながら、おのおののアンテナ・グループについて、これより多くまたはこれより少ないアンテナが利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。周波数分割デュプレクス（ＦＤＤ）システムでは、通信リンク１１８，１２０，１２４，１２６は、通信のために異なる周波数を使用しうる。例えば、順方向リンク１２０は、逆方向リンク１１８によって使用されるものとは異なる周波数を使用しうる。あるいは、このシステムは、順方向リンクと逆方向リンクとが同じ周波数を利用する時分割デュプレクス（ＴＤＤ）システムとして動作しうると理解される。
【００３０】
通信するように設計された領域および／またはアンテナのおのおののグループはしばしば、アクセス・ポイントのセクタと称される。態様では、アンテナ・グループは各々、アクセス・ポイント１０２によってカバーされた領域のセクタ内のアクセス端末に通信するように設計される。ある態様については、アクセス端末１１６，１２２は、以下に詳述するように、１または複数の送信アンテナを用いてアップリンク送信ダイバーシティを利用しうる。
【００３１】
順方向リンク１２０，１２６による通信では、アクセス・ポイント１０２の送信アンテナは、別のアクセス端末１１６，１２２のための順方向リンクの信号対雑音比を改善するために、ビームフォーミングを利用しうる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００３２】
アクセス・ポイントは、端末と通信するために使用される固定局でありうる。また、ノードＢ、イボルブド・ノードＢ（ｅＮＢ）、またはその他のいくつかの用語で称されうる。
【００３３】
図２は、ＭＩＭＯシステム２００における送信機システム２１０および受信機システム２５０の態様のブロック図である。送信機システム２１０では、多くのデータ・ストリーム用のトラフィック・データが、データ・ソース２１２から送信（ＴＸ）データ・プロセッサ２１４に提供される。
【００３４】
態様では、各データ・ストリームが、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３５】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。各データ・ストリームの多重化されたパイロットおよび符号化されたデータは、その後、変調シンボルを提供するためにデータ・ストリームについて選択された特定の変調スキーム（例えば、バイナリ・フェーズ・シフト・キーイング（ＢＰＳＫ）、直交フェーズ・シフト・キーイング（ＱＰＳＫ）、Ｍが２の累乗でありうるＭ−ＰＳＫ、またはＭ−ＱＡＭ（直交振幅変調））に基づいて変調（すなわち、シンボル・マップ）される。おのおののデータ・ストリームのデータ・レート、符号化、および変調は、メモリ２３２に接続されうるプロセッサ２３０によって実行される命令群によって決定されうる。
【００３６】
すべてのデータ・ストリームの変調シンボルは、その後、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、このシンボルが送信されるアンテナへ、ビームフォーミング重みを適用する。
【００３７】
おのおのの送信機２２２は、１または複数のアナログ信号を提供するために、それぞれのシンボル・ストリームを受信して処理し、さらには、ＭＩＭＯチャネルによる送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３８】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３９】
ＲＸデータ・プロセッサ２６０は、その後、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０はその後、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００４０】
メモリ２７２に接続されたプロセッサ２７０は、逆方向リンク・メッセージを規定する。これら逆方向リンク・メッセージは、通信リンクおよび／または受信データ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００４１】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。以下に詳述されるように、ＲＸデータ・プロセッサ２４２は、復号の曖昧さを取り除くために、受信機システム２５０によって使用される送信パラメータ（例えば、アグリゲーション・レベル、制御チャネル・リソース）を決定しうる。
【００４２】
図３は、多くのユーザをサポートするように構成された無線通信システム３００の例を例示する。ここでは、開示されたさまざまな態様が実現されうる。図３に示すように、一例として、システム３００は、例えばマクロ・セル３０２ａ−３０２ｇのような複数のセル３０２のための通信を提供する。ここで、おのおののセルは、対応するアクセス・ポイント（ＡＰ）３０４（例えば、ＡＰ３０４ａ−３０４ｇ）によってサービス提供される。おのおののセルはさらに、（例えば、１または複数の周波数をサービス提供するために、）１または複数のセクタへ分割されうる。ＵＥ３０５ｂ−３０６ｊを含むさまざまなＵＥ３０６が、システム中に分散されている。
【００４３】
おのおののＵＥ３０６は、例えば、ＵＥがアクティブであるか、および、ソフト・ハンドオフにあるかに依存して、所与の瞬間において、順方向リンク（ＦＬ）および／または逆方向リンク（ＲＬ）によって、１または複数のＡＰ３０４と通信しうる。無線通信システム３００は、大きな地理的領域にわたってサービスを提供することができ、マクロ・セル３０２ａ−３０２ｇは、小さな地理的領域をカバーしうる。
【００４４】
本開示のある態様は、無線通信システムにおけるアップリンク送信ダイバーシティをサポートするための方法を提案する。提案された方法は、ＵＥの別のアンテナによって使用されるリソースおよび物理ダウンリンク制御チャネル（ＰＤＣＣＨ）アグリゲーション・レベルの復号における曖昧さを取り除く。さらに、方法は、ＡＣＫ／ＮＡＫ反復のためのリソース割当のために提案される。
【００４５】
無線通信システムでは、ＵＥは、複数（恐らくは、仮想）アップリンク（ＵＬ）アンテナを装備しうるので、アップリンク送信ダイバーシティが可能でありうる。図４は、２本のアンテナを用いて送信ダイバーシティを利用するＵＥのブロック図４００の例を例示する。この例では、２本のアンテナしか示されていないが、ＵＥは、任意の数のアンテナを有しうることが注目されるべきである。例示されるように、制御情報４０２（例えば、シンボル）が、空間直交リソース送信ダイバーシティ（ＳＯＲＴＤ）ブロック４０４に入りうる。その後、これらシンボルは、２つの直交リソース（例えば、直交リソース０  ４０６および直交リソース１  ４０８）のセットで送信されうる。次に、これらシンボルは、アンテナ４１２によって送信される前に、Ｎタップ逆高速フーリエ変換（Ｎ−ＩＦＦＴ）ブロック４１０を通過しうる。この図には示されていないが、ＵＥは、おのおの直交リソースで送信する、２つよりも多くのアンテナを有しうる。
【００４６】
アップリンク送信ダイバーシティ（ＴｘＤ）のために、ＳＯＲＴＤが（例えば、ＬＴＥ規格ではフォーマット１／１ａ／１ｂを有する）物理アップリンク制御チャネル（ＰＵＣＣＨ）メッセージに適用されうる。変調シンボルは、別のアンテナのために、異なる直交リソースで送信されうる。図４に例示されるように、ＵＥは、サイクリックなカバーおよび直交カバーを含む別の直交リソースを利用する別の送信アンテナから、同じ制御情報を送信しうる。
【００４７】
動的なスケジューリングのために、ＰＵＣＣＨにおけるアクノレッジメント（ＡＣＫ）／否定的アクノレッジメント（ＮＡＫ）の送信のために使用されるリソースは、動的な割り当てにおける物理ダウンリンク制御チャネル（ＰＤＣＣＨ）の制御チャネル要素（ＣＣＥ）の開始ポイント、および、高次レイヤ設定可能オフセットに基づいて導出されうる。ＵＥのためのＰＤＣＣＨの開始ＣＣＥは、（例えば、複数のＵＥで共通の、または、各ＵＥに特有の）探索空間に依存して、ランダムでありうる。高次レイヤ設定可能オフセットは、セル特有でありうる。
【００４８】
ＵＥ特有の探索空間に関し、開始ＣＣＥは、ＵＥ識別情報（ＩＤ）、サブフレーム・インデクス（０乃至９の範囲をとるサブフレーム）、ＰＤＣＣＨアグリゲーション・レベル、およびランダム・シードに依存しうる。例えば１，２，４，８のような４つの可能なアグリゲーション・レベルがあり、それぞれ最大６，６，２，２までの復号候補を含みうる。さらに、各アグリゲーション・レベルの探索空間は隣接しうる。また、異なるアグリゲーション・レベルの探索空間はオーバラップしうる。
【００４９】
図５は、異なるアグリゲーション・レベルに関しオーバラップする探索空間を備えるリソース使用５００の例を例示する。例示されるように、ＵＥのためのレベル１およびレベル２は、オーバラップする探索空間を有する。レベル１は、ＣＣＥＫ５０２乃至ＣＣＥＫ＋５を含んでいる一方、レベル２は、ＣＣＥＫ−２乃至ＣＣＥＫ＋９を含んでいる。ＰＤＣＣＨが、ＰＤＣＣＨペイロード・サイズとチャネル条件に依存して、レベル２のＣＣＥＫ５０２およびＣＣＥＫ＋１５０４を用いる場合、ＵＥは、ＰＤＣＣＨを復号するために２つのオプションを有しうる。第１のオプションは、レベル２のＣＣＥＫおよびＣＣＥＫ＋１であり、第２のオプションは、レベル１のＣＣＥＫまたはＣＣＥＫ＋１である。２つの異なる復号オプションを持つことで、曖昧な復号となりうる。
【００５０】
単一アンテナ・ポート動作の場合、ＡＣＫ／ＮＡＫリソースは、ＣＣＥの開始インデクス（例えば、Ｋ）に基づいて導出されうる。したがって、ｅＮＢの観点から曖昧さは無いかもしれない。しかしながら、ＳＯＲＴＤに関し、ｅＮＢは、ＵＥがレベル１を復号するか、レベル２を復号するかを知らないかもしれない。これは、第２のリソースがどのようにして導出されるか、および、ＳＯＲＴＤがすべてのアグリゲーション・レベルに適用されるかに依存して、曖昧さをもたらしうる。
【００５１】
一般に、探索空間曖昧さは、レベル１と、レベル２，４，８との間で生じうる。探索空間曖昧さはまた、第２のＰＵＣＣＨリソースの非コンシステントな導出が適用される場合には、レベル｛２，４，８｝の組み合わせの間で生じうる。曖昧さが生じると、ｅＮＢは、アグリゲーション・レベルおよび対応するリソースを決定するために、ブラインド復号を実行しうる。さらに、同じセル内のＵＥ間のＡＣＫ／ＮＡＫ送信において衝突が生じうる。例えば、他のＵＥは、ＰＵＣＣＨ  ＡＣＫ／ＮＡＫリソース導出への入力として、曖昧なＣＣＥを用いてスケジュールされうる。これは、ＵＥと同じリソースを用いてＡＣＫ／ＮＡＫを曖昧に送信しうる。この結果、衝突が生じうる。このような衝突は、ダウンリンク（ＤＬ）パフォーマンスに悪影響を与え、送信ダイバーシティの利点を害しうる。
【００５２】
本開示のある態様では、リソースの曖昧さを取り除くために、別のアンテナのために使用されるリソースのコンシステントな導出とともに、コンシステントな送信ダイバーシティ・スキームが使用されうる。例えば、コンシステントな送信ダイバーシティ（ＴｘＤ）スキームは、アグリゲーション・レベルのすべてに対して実行されうる。さらに、（例えば、第２のアンテナによって使用されるべき）第２のＡＣＫ／ＮＡＫリソースのコンシステントな導出が、すべてのアグリゲーション・レベルのために使用されうる。したがって、ＳＯＲＴＤは、例えば１，２，４，８のようなすべてのアグリゲーション・レベルに適用されうる。
【００５３】
ある態様の場合、２つよりも多くのアンテナのために、連続したリソースが利用されうる。例えば、第１のアンテナが、スケジューリングＰＤＣＣＨの開始ＣＣＥでありうるｎＣＣＥを使用し、第２のアンテナが、次のＣＣＥ（例えば、ｎＣＣＥ＋１）を使用しうる。したがって、２つのアンテナは、連続する制御チャネル・リソースを利用しうる。
【００５４】
別の態様の場合、第２のリソース（例えば、ｎＣＣＥ’）が、レイヤ３（例えば、ラジオ・リソース制御（ＲＲＣ））シグナリングによって設定されうる。レベル１のＰＤＣＣＨの場合、第２のアンテナに割り当てられたリソース（例えば、ｎＣＣＥ＋１またはｎＣＣＥ’）は、別のＤＬスケジューリングのために使用されないことがありうる。しかしながら、これらのリソースは、ＵＬスケジューリングのために使用されうる。提案されたアイデアは、２つよりも多くのアンテナを用いる送信ダイバーシティ・スキームに容易に適用されうることが注目されるべきである。
【００５５】
現在の開示のある態様の場合、復号の曖昧さを取り除くために、ＵＥは、ＰＤＣＣＨにおけるアグリゲーション・レベルについて明示的に通知されうる。例えば、レベル１とその他のレベル（例えば、レベル２，４，８）とを区別するために、または、レベルを暗黙的に示すために、１ビットまたは複数のビットが使用されうる。さらに、すべてのアグリゲーション・レベルにＳＯＲＴＤが適用されうる。この場合、レベル１について、第２のリソースは、レイヤ３によって、または、ｎＣＣＥ＋１以外のリソースによって設定されうる（そうではない場合、このような明示的なビットは必要ではないことがありうる）。別の解決策は、レベル２，４，８へのみＳＯＲＴＤを適用する一方、レベル１は１つのアンテナ・ポートしか使用しないことである。しかしながら、この方法は、新たなダウンリンク制御情報（ＤＣＩ）フォーマットを必要としうる。
【００５６】
ある態様では、ＰＤＣＣＨにおける曖昧ではないアグリゲーション・レベル復号を保証するために、物理レイヤが変更されうる。例えば、図６に例示されるように、レート・マッチングのための開始インデクスが、アグリゲーション・レベルに依存しうる。
【００５７】
図６は、本開示のある態様にしたがう、アグリゲーション・レベル依存の開始インデクスを用いる図解６００の例を例示する。例示されるように、２つの開始インデクスが定義されうる。１つは、レベル１のためのもの（６０２）であり、１つは、例えばレベル２，４，８のような他のレベルのためのもの（６０４）である。別の例では、４つのレベルを区別するために、４つの開始インデクスが定義されうる。物理レイヤの変更は、ＬＴＥ規格におけるビット収集、選択、および送信の定義を修正することによって達成されうる。
【００５８】
ある態様については、復号の曖昧さを取り除くために、アグリゲーション依存のスクランブリング符号が使用されうる。したがって、異なるアグリゲーション・レベルのために、異なるスクランブリング符号がシンボルに適用されうる。ある態様については、巡回冗長検査（ＣＲＣ）マスキングも、復号の曖昧さを取り除くために、アグリゲーション依存となりうる。したがって、ＣＲＣビットは、アグリゲーション・レベルに基づいて決定されうるシーケンスによってスクランブルされうる。この方法は、物理レイヤにおける変更を課しうることが注目されるべきである。
【００５９】
図７は、本開示のある態様にしたがって、送信ダイバーシティにおける復号の曖昧さを取り除くためにアクセス・ポイント（例えば、ｅＮＢ）によって実行されうる動作７００の例を例示する。７０２において、ｅＮＢは、装置（例えば、ＵＥ）から１または複数の信号を受信する。７０４において、ｅＮＢは、装置による信号の送信のために使用された送信パラメータを決定する。ここで、決定された送信パラメータは、ダウンリンク制御チャネルを装置へ送信するために使用されるアグリゲーション・レベルや、ダウンリンク制御チャネルのために使用される制御チャネル・リソースに基づいて決定される制御チャネル・リソースにも関わらず使用される、コンシステントな送信ダイバーシティ・スキームを備える。７０６において、ｅＮＢは、送信パラメータに基づいて、信号を復号する。この制御チャネル・リソースは、アクノレッジメント・メッセージを受信するために使用されうることが注目されるべきである。
【００６０】
図７Ａは、図７の動作７００を実行するための構成要素７００Ａのブロック図を例示する。構成要素７００Ａは、装置（例えば、ＵＥ）から１または複数の信号を受信するためのモジュール７０２Ａを含んでいる。構成要素７００Ａはさらに、装置による信号の送信のために使用された送信パラメータを決定するためのモジュール７０４Ａを含む。ここで、決定された送信パラメータは、ダウンリンク制御チャネルを装置へ送信するために使用されるアグリゲーション・レベルや、ダウンリンク制御チャネルのために使用される制御チャネル・リソースに基づいて決定される制御チャネル・リソースにも関わらず使用される、コンシステントな送信ダイバーシティ・スキームを備える。構成要素７００Ａはさらに、送信パラメータに基づいて信号を復号するためのモジュール７０６Ａを含んでいる。いくつかの設計では、制御チャネル・リソースは、アクノレッジメント・メッセージを受信するために使用されうる。
【００６１】
図８は、本開示のある態様にしたがって、送信ダイバーシティにおける復号の曖昧さ取り除くためにＵＥによって実行されうる動作８００の例を例示する。８０２において、ＵＥが、ダウンリンク制御チャネルを受信する。８０４において、ＵＥは、１または複数の信号の送信のための送信ダイバーシティ・スキームを識別する。ここで、コンシステントな送信ダイバーシティ・スキームは、ダウンリンク制御チャネルを送信するために使用されるアグリゲーション・レベルに関わらず識別される。８０６において、ＵＥは、ダウンリンク制御チャネルのために使用される制御チャネル・リソースに基づいて、１または複数の信号の送信のために使用するための１または複数の制御チャネル・リソースを決定する。８０８において、ＵＥは、コンシステントな送信ダイバーシティ・スキームを用いて、決定された１または複数の制御チャネル・リソースで、１または複数の信号を送信する。
【００６２】
図８Ａは、図８の動作８００を実行するための構成要素８００Ａのブロック図を例示する。構成要素８００Ａは、ダウンリンク制御チャネルを受信するためのモジュール８０２Ａを含んでいる。構成要素８００Ａはさらに、１または複数の信号の送信のための送信ダイバーシティ・スキームを識別するためのモジュール８０４Ａを含む。ここで、コンシステントな送信ダイバーシティ・スキームは、ダウンリンク制御チャネルを送信するために使用されるアグリゲーション・レベルに関わらず識別される。構成要素８００Ａはさらに、ダウンリンク制御チャネルのために使用される制御チャネル・リソースに基づいて、１または複数の信号の送信のために使用するための１または複数の制御チャネル・リソースを決定するためのモジュール８０６Ａを含む。構成要素８００Ａはさらに、コンシステントな送信ダイバーシティ・スキームを用いて、決定された１または複数の制御チャネル・リソースで、１または複数の信号を送信するためのモジュール８０８Ａを含む。
【００６３】
図９は、本開示のある態様にしたがうアクセス・ポイント（例えば、ｅＮＢ）の機能ブロック図９００を例示する。例示されるように、ｅＮＢは、ＵＥからメッセージを受信するためのメッセージ受信構成要素９０２を備えうる。ｅＮＢはさらに、１または複数の判定基準９１０に基づいて、メッセージの送信パラメータを決定するための送信パラメータ（例えば、アグリゲーション・レベル、制御チャネル・リソース、送信スキーム）決定構成要素９０４を備えうる。ｅＮＢはさらに、メッセージ復号構成要素９０６と、ダウンリンク制御チャネル送信構成要素９０８とを備えうる。
【００６４】
図１０は、本開示のある態様にしたがう、ＵＥの機能ブロック図１０００を例示する。例示されるように、ＵＥは、ダウンリンク制御チャネル受信構成要素１００１、送信ダイバーシティ識別構成要素１００２、制御チャネル要素選択構成要素１００４、および信号送信構成要素１００６を含みうる。これらの構成要素は、送信パラメータを決定し、決定されたパラメータを用いて、ｅＮＢにメッセージを送るために利用されうる。
【００６５】
図１１は、本開示のある態様にしたがって、送信ダイバーシティにおける復号の曖昧さを取り除くためにアクセス・ポイント（例えば、ｅＮＢ）によって実行されうる動作１１００の別の例を例示する。１１０２において、ｅＮＢは、ダウンリンク制御チャネルを送信する際に使用するためのアグリゲーション・レベルを選択する。１１０４において、ｅＮＢは、選択されたアグリゲーション・レベルと、選択されたアグリゲーション・レベルに依存し、適切なアグリゲーション・レベルを持つダウンリンク制御チャネルを装置が復号することを保証するために設計された、１または複数の判定基準とを用いて、ダウンリンク制御チャネルを装置へ送信する。１または複数の判定基準は、アグリゲーション・レベルのためのレート・マッチングのための開始インデクス、または、別のアグリゲーション・レベルのために使用される１または複数のスクランブリング符号（例えば、アグリゲーション・レベルに依存するスクランブリング符号）、または、別のアグリゲーション・レベルのための１または複数のＣＲＳマスキング（例えば、アグリゲーション・レベルに依存するシーケンス）、でありうる。１または複数の判定基準はまた、ダウンリンク・スケジューリングのＣＣＥの開始ポイントに基づきうる。
【００６６】
図１１Ａは、図１１の動作１１００を実行するための構成要素１１００Ａのブロック図を例示する。構成要素１１００Ａは、ダウンリンク制御チャネルを送信する際に使用するためのアグリゲーション・レベルを選択するためのモジュール１１０２Ａを含む。構成要素１１００Ａはさらに、選択されたアグリゲーション・レベルと、選択されたアグリゲーション・レベルに依存し、適切なアグリゲーション・レベルを持つダウンリンク制御チャネルを装置が復号することを保証するために設計された、１または複数の判定基準とを用いて、ダウンリンク制御チャネルを装置へ送信するためのモジュール１１０４Ａを含む。１または複数の判定基準は、アグリゲーション・レベルのためのレート・マッチングのための開始インデクス、または、別のアグリゲーション・レベルのために使用される１または複数のスクランブリング符号（例えば、アグリゲーション・レベルに依存するスクランブリング符号）、または、別のアグリゲーション・レベルのための１または複数のＣＲＳマスキング（例えば、アグリゲーション・レベルに依存するシーケンス）、でありうる。１または複数の判定基準はまた、ダウンリンク・スケジューリングのＣＣＥの開始ポイントに基づきうる。
【００６７】
図１２は、本開示のある態様にしたがって、送信ダイバーシティにおける復号の曖昧さを取り除くためにＵＥによって実行されうる動作１２００の別の例を例示する。１２０２において、ＵＥは、選択されたアグリゲーション・レベルと、選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信する。１２０４において、ＵＥは、選択されたアグリゲーション・レベルに依存する１または複数の判定基準を用いて、ダウンリンク制御チャネルを正しく復号することに基づいて、ダウンリンク制御チャネルを送信するために使用された、選択されたアグリゲーション・レベルを決定する。
【００６８】
図１２Ａは、図１２の動作１２００を実行するための構成要素１２００Ａのブロック図を例示する。構成要素１２００Ａは、選択されたアグリゲーション・レベルと、選択されたアグリゲーション・レベルに依存し、適切なアグリゲーション・レベルでダウンリンク制御チャネルが復号されることを保証するために設計された、１または複数の判定基準とを用いて送信されたダウンリンク制御チャネルを受信するためのモジュール１２０２Ａを含む。構成要素１２００Ａはさらに、選択されたアグリゲーション・レベルに依存する１または複数の判定基準を用いて、ダウンリンク制御チャネルを正しく復号することに基づいて、ダウンリンク制御チャネルを送信するために使用された、選択されたアグリゲーション・レベルを決定するモジュール１２０４Ａを含む。
【００６９】
ある態様は、曖昧さを取り除くのではなく、曖昧さを緩和しうる。例えば、複数のアグリゲーション・レベルにおいてＰＤＣＣＨの復号が正しくなされた場合、ＵＥは、ＡＣＫ／ＮＡＫリソースおよび送信スキームを決定するために、常に、最大（または最小）のレベルを採用しうる。ある態様については、ｅＮＢは、曖昧なレベルに対してブラインド復号を実行しうる。ある態様については、ｅＮＢは、曖昧なＣＣＥを用いて別のＤＬ  ＰＤＣＣＨをスケジュールすることを回避することを試みうる。
【００７０】
ある態様については、第２のリソースのレイヤ３設定が、ＳＯＲＴＤのために使用されうる。したがって、第２のリソースは、利用可能なＰＤＣＣＨリソースから、最も使用されないＣＣＥのために設定されうる。例えば、一般に、最も使用されないＣＣＥである最後のＣＣＥが、第２のリソースのために設定されうる。
【００７１】
さらに、レイヤ３は、同じ第２のリソースを共有する複数のＵＥを設定しうる。しかしながら、ｅＮＢは、時分割多重化（ＴＤＭ）を用いたスケジューリングによって、ＵＥ間のリソース・オーバラップを回避しうる。
【００７２】
ある態様については、ＰＤＣＣＨレベル１およびＳＯＲＴＤのための第２のリソースは、同じＵＥのためのＵＬ  ＰＤＣＣＨからも由来しうる。例えば、物理アップリンク共有チャネル（ＰＵＳＣＨ）における送信をスケジュールするためのＵＬ  ＰＤＣＣＨの開始ＣＣＥインデクスが、ＳＯＲＴＤのために使用されうる。この方法は、ＵＥのための同時のＤＬスケジューリングおよびＵＬスケジューリングを必要としうることが注目されるべきである。
【００７３】
本開示のある態様の場合、ＡＣＫ／ＮＡＫ反復が、ＳＯＲＴＤと共にサポートされうる。したがって、リソースは、ＡＣＫ／ＮＡＫ反復のために割り当てられうる。例えば、第１の送信のためのリソースは、動的なスケジューリングと半持続的なスケジューリングとの両方のために、非反復の場合と同様に割り当てられうる。さらに、すべての反復のためのリソースは、レイヤ３シグナリングによって設定されうる。
【００７４】
さらに、受信する手段は、例えば信号受信構成要素９０２またはダウンリンク制御チャネル受信構成要素１００１のような任意の適切な受信構成要素を備えうる。送信ダイバーシティ・スキームを識別する手段は、例えば送信ダイバーシティ・スキーム識別構成要素１００２のように、送信ダイバーシティ・スキームを識別することが可能な回路またはプロセッサを備えうる。決定する手段は、例えば送信パラメータ決定構成要素９０４または制御チャネル・リソースおよびアグリゲーション・レベル決定構成要素１００４のように、送信パラメータを決定することが可能な回路またはプロセッサを備えうる。復号する手段は、例えば信号復号構成要素９０６のように、信号を復号することが可能な回路またはプロセッサを備えうる。送信する手段は、例えばダウンリンク制御チャネル送信構成要素９０８、または、信号送信構成要素１００６のような任意の適切な送信構成要素を備えうる。
【００７５】
本開示に関連して説明されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行されうる。汎用プロセッサは、マイクロ・プロセッサでありうるが、代替案では、プロセッサは、任意の市販のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７６】
本開示に関連して記載される方法またはアルゴリズムのステップは、ハードウェアで直接的に、プロセッサによって実行されるソフトウェア・モジュールで、あるいは、これらの組み合わせによって具体化されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００７７】
本明細書において開示された方法は、記載された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００７８】
説明された機能は、ハードウェア、ソフトウェア、ファームウェア、またはその任意の組合せで実現されうる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００７９】
ソフトウェアまたは命令群は、送信媒体を介しても送信されうる。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８０】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００８１】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
なお、以下に、出願当初の特許請求の範囲に記載された発明を付記する。
［発明１］無線通信のための方法であって、
装置から１または複数の信号を受信することと、
前記装置による信号の送信のために使用された送信パラメータを決定することと、ここで、前記決定された送信パラメータは、ダウンリンク制御チャネルを前記装置へ送信するために使用されるアグリゲーション・レベルや、前記ダウンリンク制御チャネルのために使用される制御チャネル・リソースに基づいて決定される制御チャネル・リソースにも関わらず使用される、コンシステントな送信ダイバーシティ・スキームを備える、
前記送信パラメータに基づいて信号を復号することと、
を備える方法。
［発明２］前記コンシステントな送信ダイバーシティ・スキームは、空間直交リソース送信ダイバーシティ（ＳＯＲＴＤ）スキームを備える、発明１に記載の方法。
［発明３］前記信号の送信のために使用された制御チャネル・リソースは、前記ダウンリンク制御チャネルの開始制御チャネル・リソースにマップされた制御チャネル・リソースを備える、発明１に記載の方法。
［発明４］前記１または複数の信号の送信に使用された制御チャネル・リソースは、連続する制御チャネル・リソースを備える、発明３に記載の方法。
［発明５］前記信号の送信のために使用する制御チャネル・リソースを示す別の信号を、前記装置へ送信すること、をさらに備える発明１に記載の方法。
［発明６］前記制御チャネル・リソースで、アクノレッジメント・メッセージが受信される、発明１に記載の方法。
［発明７］無線通信のための方法であって、
ダウンリンク制御チャネルを受信することと、
１または複数の信号の送信のための送信ダイバーシティ・スキームを識別することと、ここで、コンシステントな送信ダイバーシティ・スキームが、前記ダウンリンク制御チャネルを送信するために使用されるアグリゲーション・レベルに関わらず識別される、
前記ダウンリンク制御チャネルのために使用される制御チャネル・リソースに基づいて、前記１または複数の信号の送信のために使用するための１または複数の制御チャネル・リソースを決定することと、
前記コンシステントな送信ダイバーシティ・スキームを用いて、前記決定された１または複数の制御チャネル・リソースで、前記１または複数の信号を送信することと、
を備える方法。
［発明８］前記コンシステントな送信ダイバーシティ・スキームは、空間直交リソース送信ダイバーシティ（ＳＯＲＴＤ）スキームを備える、発明７に記載の方法。
［発明９］前記信号の送信のために使用される制御チャネル・リソースは、前記ダウンリンク制御チャネルの開始制御チャネル・リソースにマップされた制御チャネル・リソースを備える、発明７に記載の方法。
［発明１０］前記信号の送信に使用される制御チャネル・リソースは、連続する制御チャネル・リソースを備える、発明９に記載の方法。
［発明１１］前記信号の送信のために使用するための１または複数の制御チャネル・リソースを示す信号を受信すること、をさらに備える発明７に記載の方法。
［発明１２］前記信号が、１または複数のアクノレッジメント・メッセージを送信するために使用される、発明７に記載の方法。
［発明１３］無線通信のための方法であって、
ダウンリンク制御チャネルを送信する際に使用するためのアグリゲーション・レベルを選択することと、
前記選択されたアグリゲーション・レベルと、前記選択されたアグリゲーション・レベルに依存し、適切なアグリゲーション・レベルを持つダウンリンク制御チャネルを装置が復号することを保証するために設計された、１または複数のメトリックとを用いて、前記ダウンリンク制御チャネルを前記装置へ送信することと、
を備える方法。
［発明１４］前記１または複数のメトリックは、前記ダウンリンク制御チャネルを送信するために使用される制御リソースのための、アグリゲーション・レベルに依存する開始インデクスを備える、発明１３に記載の方法。
［発明１５］第１のアグリゲーション・レベルのために第１の開始インデクスが使用され、複数の他のアグリゲーション・レベルのために第２の開始インデクスが使用される、発明１４に記載の方法。
［発明１６］前記１または複数のメトリックは、前記ダウンリンク制御チャネルを送信する場合に適用されるアグリゲーション・レベルに依存するスクランブリング符号を備える、発明１３に記載の方法。
［発明１７］異なる各アグリゲーション・レベルのために、異なるスクランブリング符号が適用される、発明１６に記載の方法。
［発明１８］前記１または複数のメトリックは、巡回冗長検査（ＣＲＣ）をスクランブルするために使用されるアグリゲーション・レベルに依存するシーケンスを備える、発明１３に記載の方法。
［発明１９］送信スキームを用いて送信された信号を前記装置から受信すること、をさらに備える発明１３に記載の方法。
［発明２０］前記送信スキームは、前記ダウンリンク制御チャネルを送信するために使用されたアグリゲーション・レベルに基づいて、前記装置によって選択される、発明１９に記載の方法。
［発明２１］前記送信スキームは、空間直交リソース送信ダイバーシティ（ＳＯＲＴＤ）スキームを備える、発明２０に記載の方法。
［発明２２］前記受信された信号は、前記ダウンリンク制御チャネルの１または複数の制御チャネル・リソースにマップされた１または複数の制御チャネル・リソースを用いて、前記装置によって送信された、発明１９に記載の方法。
［発明２３］前記受信された信号は、１または複数のアクノレッジメント・メッセージを備える、発明１９に記載の方法。
［発明２４］無線通信のための方法であって、
選択されたアグリゲーション・レベルと、前記選択されたアグリゲーション・レベルに依存し、適切なアグリゲーション・レベルでダウンリンク制御チャネルが復号されることを保証するために設計された、１または複数のメトリックとを用いて送信されたダウンリンク制御チャネルを受信することと、
前記選択されたアグリゲーション・レベルに依存する１または複数のメトリックを用いて、前記ダウンリンク制御チャネルを正しく復号することに基づいて、前記ダウンリンク制御チャネルを送信するために使用された、前記選択されたアグリゲーション・レベルを決定することと、
を備える方法。
［発明２５］前記１または複数のメトリックは、前記ダウンリンク制御チャネルを送信するために使用される制御リソースのための、アグリゲーション・レベルに依存する開始インデクスを備える、発明２４に記載の方法。
［発明２６］第１のアグリゲーション・レベルのために第１の開始インデクスが使用され、複数の他のアグリゲーション・レベルのために第２の開始インデクスが使用される、発明２４に記載の方法。
［発明２７］前記１または複数のメトリックは、前記ダウンリンク制御チャネルを送信する場合に適用されるアグリゲーション・レベルに依存するスクランブリング符号を備える、発明２４に記載の方法。
［発明２８］異なる各アグリゲーション・レベルのために、異なるスクランブリング符号が適用される、発明２７に記載の方法。
［発明２９］前記１または複数のメトリックは、巡回冗長検査（ＣＲＣ）をスクランブルするために使用されるアグリゲーション・レベルに依存するシーケンスを備える、発明２４に記載の方法。
［発明３０］送信スキームを用いて、前記ダウンリンク制御チャネルを送信した装置へ信号を送信すること、をさらに備える発明２４に記載の方法。
［発明３１］前記送信スキームは、前記ダウンリンク制御チャネルを送信するために使用されたアグリゲーション・レベルに基づいて選択される、発明２９に記載の方法。
［発明３２］前記送信スキームは、空間直交リソース送信ダイバーシティ（ＳＯＲＴＤ）スキームを備える、発明３１に記載の方法。
［発明３３］前記信号は、前記ダウンリンク制御チャネルを送信するために使用された１または複数の制御チャネル・リソースにマップされた１または複数の制御チャネル・リソースを用いて送信される、発明３０に記載の方法。
［発明３４］前記送信された信号は、１または複数のアクノレッジメント・メッセージを備える、発明３０に記載の方法。
［発明３５］無線通信のための装置であって、
装置から１または複数の信号を受信する手段と、
前記装置による信号の送信のために使用された送信パラメータを決定する手段と、ここで、前記決定された送信パラメータは、ダウンリンク制御チャネルを装置へ送信するために使用されるアグリゲーション・レベルや、前記ダウンリンク制御チャネルのために使用される制御チャネル・リソースに基づいて決定される制御チャネル・リソースにも関わらず使用される、コンシステントな送信ダイバーシティ・スキームを備える、
前記送信パラメータに基づいて信号を復号する手段と、
を備える装置。
［発明３６］前記コンシステントな送信ダイバーシティ・スキームは、空間直交リソース送信ダイバーシティ（ＳＯＲＴＤ）スキームを備える、発明３５に記載の装置。
［発明３７］前記信号の送信のために使用された制御チャネル・リソースは、前記ダウンリンク制御チャネルの開始制御チャネル・リソースにマップされた制御チャネル・リソースを備える、発明３５に記載の装置。
［発明３８］前記信号の送信に使用された制御チャネル・リソースは、連続する制御チャネル・リソースを備える、発明３７に記載の装置。
［発明３９］前記信号の送信のために使用する制御チャネル・リソースを示す信号を、前記装置へ送信する手段、をさらに備える発明３５に記載の装置。
［発明４０］前記制御チャネル・リソースで、アクノレッジメント・メッセージが受信される、発明３５に記載の装置。
［発明４１］無線通信のための装置であって、
ダウンリンク制御チャネルを受信する手段と、
１または複数の信号の送信のための送信ダイバーシティ・スキームを識別する手段と、ここで、コンシステントな送信ダイバーシティ・スキームが、前記ダウンリンク制御チャネルを送信するために使用されるアグリゲーション・レベルに関わらず識別される、
前記ダウンリンク制御チャネルのために使用される制御チャネル・リソースに基づいて、前記１または複数の信号の送信のために使用するための１または複数の制御チャネル・リソースを決定する手段と、
前記コンシステントな送信ダイバーシティ・スキームを用いて、前記決定された１または複数の制御チャネル・リソースで、前記１または複数の信号を送信する手段と、
を備える装置。
［発明４２］前記コンシステントな送信ダイバーシティ・スキームは、空間直交リソース送信ダイバーシティ（ＳＯＲＴＤ）スキームを備える、発明４１に記載の装置。
［発明４３］前記信号の送信のために使用される制御チャネル・リソースは、前記ダウンリンク制御チャネルの開始制御チャネル・リソースにマップされた制御チャネル・リソースを備える、発明４１に記載の装置。
［発明４４］前記信号の送信に使用される制御チャネル・リソースは、連続する制御チャネル・リソースを備える、発明４３に記載の装置。
［発明４５］前記信号の送信のために使用するための１または複数の制御チャネル・リソースを示す信号を受信する手段、をさらに備える発明４１に記載の装置。
［発明４６］前記信号が、１または複数のアクノレッジメント・メッセージを送信するために使用される、発明４１に記載の装置。
［発明４７］無線通信のための装置であって、
ダウンリンク制御チャネルを送信する際に使用するためのアグリゲーション・レベルを選択する手段と、
前記選択されたアグリゲーション・レベルと、前記選択されたアグリゲーション・レベルに依存し、適切なアグリゲーション・レベルを持つダウンリンク制御チャネルを装置が復号することを保証するために設計された、１または複数のメトリックとを用いて、前記ダウンリンク制御チャネルを前記装置へ送信する手段と、
を備える装置。
［発明４８］前記１または複数のメトリックは、前記ダウンリンク制御チャネルを送信するために使用される制御リソースのための、アグリゲーション・レベルに依存する開始インデクスを備える、発明４７に記載の装置。
［発明４９］第１のアグリゲーション・レベルのために第１の開始インデクスが使用され、複数の他のアグリゲーション・レベルのために第２の開始インデクスが使用される、発明４８に記載の装置。
［発明５０］前記１または複数のメトリックは、前記ダウンリンク制御チャネルを送信する場合に適用されるアグリゲーション・レベルに依存するスクランブリング符号を備える、発明４７に記載の装置。
［発明５１］異なる各アグリゲーション・レベルのために、異なるスクランブリング符号が適用される、発明５０に記載の装置。
［発明５２］前記１または複数のメトリックは、巡回冗長検査（ＣＲＣ）をスクランブルするために使用されるアグリゲーション・レベルに依存するシーケンスを備える、発明４７に記載の装置。
［発明５３］送信スキームを用いて送信された信号を前記装置から受信する手段、をさらに備える発明４７に記載の装置。
［発明５４］前記送信スキームは、前記ダウンリンク制御チャネルを送信するために使用されたアグリゲーション・レベルに基づいて、前記装置によって選択される、発明５３に記載の装置。
［発明５５］前記送信スキームは、空間直交リソース送信ダイバーシティ（ＳＯＲＴＤ）スキームを備える、発明５４に記載の装置。
［発明５６］前記受信された信号は、前記ダウンリンク制御チャネルの１または複数の制御チャネル・リソースにマップされた１または複数の制御チャネル・リソースを用いて、前記装置によって送信された、発明５３に記載の装置。
［発明５７］前記受信された信号は、１または複数のアクノレッジメント・メッセージを備える、発明５３に記載の装置。
［発明５８］無線通信のための装置であって、
選択されたアグリゲーション・レベルと、前記選択されたアグリゲーション・レベルに依存し、適切なアグリゲーション・レベルでダウンリンク制御チャネルが復号されることを保証するために設計された、１または複数のメトリックとを用いて送信されたダウンリンク制御チャネルを受信する手段と、
前記選択されたアグリゲーション・レベルに依存する１または複数のメトリックを用いて、前記ダウンリンク制御チャネルを正しく復号することに基づいて、前記ダウンリンク制御チャネルを送信するために使用された、前記選択されたアグリゲーション・レベルを決定する手段と、
を備える装置。
［発明５９］前記１または複数のメトリックは、前記ダウンリンク制御チャネルを送信するために使用される制御リソースのための、アグリゲーション・レベルに依存する開始インデクスを備える、発明５８に記載の装置。
［発明６０］第１のアグリゲーション・レベルのために第１の開始インデクスが使用され、複数の他のアグリゲーション・レベルのために第２の開始インデクスが使用される、発明５８に記載の装置。
［発明６１］前記１または複数のメトリックは、前記ダウンリンク制御チャネルを送信する場合に適用されるアグリゲーション・レベルに依存するスクランブリング符号を備える、発明５８に記載の装置。
［発明６２］異なる各アグリゲーション・レベルのために、異なるスクランブリング符号が適用される、発明６１に記載の装置。
［発明６３］前記１または複数のメトリックは、巡回冗長検査（ＣＲＣ）をスクランブルするために使用されるアグリゲーション・レベルに依存するシーケンスを備える、発明５８に記載の装置。
［発明６４］送信スキームを用いて、前記ダウンリンク制御チャネルを送信した装置へ信号を送信する手段、をさらに備える発明５８に記載の装置。
［発明６５］前記送信スキームは、前記ダウンリンク制御チャネルを送信するために使用されたアグリゲーション・レベルに基づいて選択される、発明６３に記載の装置。
［発明６６］前記送信スキームは、空間直交リソース送信ダイバーシティ（ＳＯＲＴＤ）スキームを備える、発明６５に記載の装置。
［発明６７］前記信号は、前記ダウンリンク制御チャネルを送信するために使用された１または複数の制御チャネル・リソースにマップされた１または複数の制御チャネル・リソースを用いて送信される、発明６４に記載の装置。
［発明６８］前記送信された信号は、１または複数のアクノレッジメント・メッセージを備える、発明６４に記載の装置。
［発明６９］無線通信のための装置であって、
装置から１または複数の信号を受信することと、
前記装置による信号の送信のために使用された送信パラメータを決定することと、ここで、前記決定された送信パラメータは、ダウンリンク制御チャネルを前記装置へ送信するために使用されるアグリゲーション・レベルや、ダウンリンク制御チャネルのために使用される制御チャネル・リソースに基づいて決定される制御チャネル・リソースにも関わらず使用される、コンシステントな送信ダイバーシティ・スキームを備える、
前記送信パラメータに基づいて信号を復号することと、
を実行するように構成された少なくとも１つのプロセッサと、
前記少なくとも１つのプロセッサに接続されたメモリと、
を備える装置。
［発明７０］無線通信のための装置であって、
ダウンリンク制御チャネルを受信することと、
１または複数の信号の送信のための送信ダイバーシティ・スキームを識別することと、
ここで、コンシステントな送信ダイバーシティ・スキームが、前記ダウンリンク制御チャネルを送信するために使用されるアグリゲーション・レベルに関わらず識別される、
前記ダウンリンク制御チャネルのために使用される制御チャネル・リソースに基づいて、前記１または複数の信号の送信のために使用するための１または複数の制御チャネル・リソースを決定することと、
前記コンシステントな送信ダイバーシティ・スキームを用いて、前記決定された１または複数の制御チャネル・リソースで、前記１または複数の信号を送信することと、
を実行するように構成された少なくとも１つのプロセッサと、
前記少なくとも１つのプロセッサに接続されたメモリと、
を備える装置。
［発明７１］無線通信のための装置であって、
ダウンリンク制御チャネルを送信する際に使用するためのアグリゲーション・レベルを選択することと、
前記選択されたアグリゲーション・レベルと、前記選択されたアグリゲーション・レベルに依存し、適切なアグリゲーション・レベルを持つダウンリンク制御チャネルを装置が復号することを保証するために設計された、１または複数のメトリックとを用いて、前記ダウンリンク制御チャネルを前記装置へ送信することと、
を実行するように構成された少なくとも１つのプロセッサと、
前記少なくとも１つのプロセッサに接続されたメモリと、
を備える装置。
［発明７２］無線通信のための装置であって、
選択されたアグリゲーション・レベルと、前記選択されたアグリゲーション・レベルに依存し、適切なアグリゲーション・レベルでダウンリンク制御チャネルが復号されることを保証するために設計された、１または複数のメトリックとを用いて送信されたダウンリンク制御チャネルを受信することと、
前記選択されたアグリゲーション・レベルに依存する１または複数のメトリックを用いて、前記ダウンリンク制御チャネルを正しく復号することに基づいて、前記ダウンリンク制御チャネルを送信するために使用された、前記選択されたアグリゲーション・レベルを決定することと、
を実行するように構成された少なくとも１つのプロセッサと、
前記少なくとも１つのプロセッサに接続されたメモリと
を備える装置。
［発明７３］格納された命令群を有するコンピュータ読取可能な媒体を備えた、無線通信のためのコンピュータ・プログラム製品であって、
前記命令群は、１または複数のプロセッサによって実行可能であり、前記命令群は、
装置から１または複数の信号を受信するための命令群と、
前記装置による信号の送信のために使用された送信パラメータを決定するための命令群と、ここで、前記決定された送信パラメータは、ダウンリンク制御チャネルを前記装置へ送信するために使用されるアグリゲーション・レベルや、前記ダウンリンク制御チャネルのために使用される制御チャネル・リソースに基づいて決定される制御チャネル・リソースにも関わらず使用される、コンシステントな送信ダイバーシティ・スキームを備える、
前記送信パラメータに基づいて信号を復号するための命令群と、
を備える、コンピュータ・プログラム製品。
［発明７４］格納された命令群を有するコンピュータ読取可能な媒体を備える、無線通信のためのコンピュータ・プログラム製品であって、
前記命令群は、１または複数のプロセッサによって実行可能であり、前記命令群は、
ダウンリンク制御チャネルを受信するための命令群と、
１または複数の信号の送信のための送信ダイバーシティ・スキームを識別するための命令群と、ここで、コンシステントな送信ダイバーシティ・スキームが、前記ダウンリンク制御チャネルを送信するために使用されるアグリゲーション・レベルに関わらず識別される、
前記ダウンリンク制御チャネルのために使用される制御チャネル・リソースに基づいて、１または複数の信号の送信のために使用するための１または複数の制御チャネル・リソースを決定するための命令群と、
前記コンシステントな送信ダイバーシティ・スキームを用いて、前記決定された１または複数の制御チャネル・リソースで、１または複数の信号を送信するための命令群と、
を備える、コンピュータ・プログラム製品。
［発明７５］格納された命令群を有するコンピュータ読取可能な媒体を備える、無線通信のためのコンピュータ・プログラム製品であって、
前記命令群は、１または複数のプロセッサによって実行可能であり、前記命令群は、
ダウンリンク制御チャネルを送信する際に使用するためのアグリゲーション・レベルを選択するための命令群と、
前記選択されたアグリゲーション・レベルと、前記選択されたアグリゲーション・レベルに依存し、適切なアグリゲーション・レベルを持つダウンリンク制御チャネルを装置が復号することを保証するために設計された、１または複数のメトリックとを用いて、前記ダウンリンク制御チャネルを前記装置へ送信するための命令群と、
を備える、コンピュータ・プログラム製品。
［発明７６］格納された命令群を有するコンピュータ読取可能な媒体を備える、無線通信のためのコンピュータ・プログラム製品であって、
前記命令群は、１または複数のプロセッサによって実行可能であり、前記命令群は、
選択されたアグリゲーション・レベルと、前記選択されたアグリゲーション・レベルに依存し、適切なアグリゲーション・レベルでダウンリンク制御チャネルが復号されることを保証するために設計された、１または複数のメトリックとを用いて送信されたダウンリンク制御チャネルを受信するための命令群と、
前記選択されたアグリゲーション・レベルに依存する１または複数のメトリックを用いて、前記ダウンリンク制御チャネルを正しく復号することに基づいて、前記ダウンリンク制御チャネルを送信するために使用された、前記選択されたアグリゲーション・レベルを決定するための命令群と、
を備える、コンピュータ・プログラム製品。
【図１】
0005628345.tif 000002
【図２】
0005628345.tif 000003
【図３】
0005628345.tif 000004
【図４】
0005628345.tif 000005
【図５】
0005628345.tif 000006
【図６】
0005628345.tif 000007
【図７】
0005628345.tif 000008
【図７Ａ】
0005628345.tif 000009
【図８】
0005628345.tif 000010
【図８Ａ】
0005628345.tif 000011
【図９】
0005628345.tif 000012
【図１０】
0005628345.tif 000013
【図１１】
0005628345.tif 000014
【図１１Ａ】
0005628345.tif 000015
【図１２】
0005628345.tif 000016
【図１２Ａ】
0005628345.tif 000017